(57)【要約】【解決手段】所定の直径のリングがつながれた磁石を含む磁石アンカーに用いる取付け用ヘッドとポール伸長部を備えてなる取付け取外し用具。取付け用ヘッドは、一方の端部に磁石アンカーのリングを受けて支持する円筒形ラグを有する細長で非磁性の円筒形本体と、円筒形本体から横方向に延びるコルク栓抜き状らせんの形をしたフックを備えている。円筒形本体の反対側の端部には、細長のポールを着脱自在に連結するためにネジ付きのソケットが形成されている。【選択図】図１
2004506249.tif 000002
【特許請求の範囲】
【請求項１】
磁性構造体に物体を固定し及び磁性構造体から物体を取り外すために、所定の直径のリングがつながれている磁石アンカーを取り付け及び取り外すための取付け用ポールであって、
前記磁石アンカーを磁性天井構造体まで持ち上げるために、前記リングを受けかつ前記磁石アンカーを上に支持する円筒形ラグを一端に有する細長で円筒形の非磁性取付け用ヘッドと、
前記磁石アンカーを磁性天井構造体から取り外すために、前記リングに係合するため前記ラグの近傍で前記取付け用ヘッドから横方向に延びるフックと、
前記取付け用ヘッドに着脱自在に装着可能な細長のポールと
を備えてなる取付け用ポール。
【請求項２】
請求項１に記載の取付け用ポールにおいて、
前記フックが前記取付け用ヘッドから半径方向に延びるコルク栓抜き状らせんである
ことを特徴とするもの。
【請求項３】
請求項２に記載の取付け用ポールにおいて、
前記ポールが伸長可能である
ことを特徴とするもの。
【請求項４】
請求項３に記載の取付け用ポールにおいて、
前記伸長可能なポールがテレスコピック式である
ことを特徴とするもの。
【請求項５】
請求項３に記載の取付け用ポールにおいて、
前記伸長可能なポールが、ねじ付きの末端接続部を有する細長の棒体である
ことを特徴とするもの。
【請求項６】
請求項１に記載の取付け用ポールにおいて、
木材、プラスチック又はアルミニウム合金でできている
ことを特徴とするもの。
【請求項７】
細長のポールとともに使用する取付け用ヘッドであって、
磁石アンカーを磁性天井構造体まで持ち上げるために、磁石アンカーのリングを受けかつ前記磁石アンカーを上に支持する円筒形ラグを一端に有するプラスチック材料で形成された細長で円筒形の非磁性の本体と、
前記磁石アンカーを磁性天井構造体から取り外すために、前記リングに係合するため前記ラグの近傍で前記取付け用ヘッドから横方向に延びるコルク栓抜き状らせんフックと、
ポール伸長部の嵌合ねじ付き端部を受けるために、他端に設けられたねじ付きソケットと
を備えてなる取付け用ヘッド。
【請求項８】
請求項７に記載の取付け用ヘッドにおいて、
前記フックが当該取付け用ヘッドから半径方向に延びるコルク栓抜き状らせんである
ことを特徴とするもの。
【請求項９】
請求項７に記載の取付け用ポールにおいて、
前記伸長可能なポールがねじ付きの末端接続部を有する細長の棒体である
ことを特徴とするもの。
【請求項１０】
磁性構造体に物体を固定し及び磁性構造体から物体を取り外すために、各所定の直径のリングがつながれている複数の磁石アンカーを取り付け及び取り外すための取付け用ポールであって、
前記磁石アンカーを磁性天井構造体まで持ち上げるために、前記リングを受けかつ前記磁石アンカーを上に支持する円筒形ラグを一端に画成する複数の細長で円筒形の非磁性取付け用ヘッドと、
前記複数の取付け用ヘッドを等間隔に上に支持する線形又は弓形のベースと、
前記磁石アンカーを磁性天井構造体から取り外すために、前記リングに係合するため前記ラグの近傍で少なくとも一つの前記取付け用ヘッドから横方向に延びるフックと、
前記線形又は弓形のベースに着脱自在に装着可能な細長のポールと
を備えてなる取付け用ポール。
【請求項１１】
請求項１０に記載の取付け用ヘッドにおいて、
前記フックが前記取付け用ヘッドから半径方向に延びるコルク栓抜き状らせんである
ことを特徴とするもの。
【請求項１２】
請求項１０に記載の取付け用ヘッドにおいて、
前記伸長可能なポールが、ねじ付きの末端接続部を有する細長の棒体である
ことを特徴とするもの。
【請求項１３】
請求項１０に記載の取付け用ヘッドにおいて、
各取付けヘッドが、前記ラグの近傍で前記取付け用ヘッドから横方向に延びるフックを有する
ことを特徴とするもの。
【発明の詳細な説明】
【０００１】
【発明の属する技術分野】
この発明は、磁石取付け取外し用具に関し、より詳しくは、磁石アンカーと、その磁石アンカーを頭上の高架磁性表面に取り付け及び当該磁性表面から取り外すための取付け用器具に関する。
【０００２】
【従来の技術】
吊り下げられた標識（看板）、垂れ幕、風船飾付け（ディスプレイ）などの物体を、スチールチャンネル材やタイル吊り帯板などの金属製天井構造体から、磁石及び機械的器具で吊り下げることは周知である。１９９３年２月２３日発行の米国特許第５，１８８，３３２号は、プラスチック材料製又はアルミニウムなどの非金属の金属製のハンガーフックを支持するための、細長のポールによって天井の金属条片に取り付けるための磁石条片を示している。１９９１年１０月１日発行の米国特許第５，０５２，７３３号は、天井標識（看板）を支持するための、磁気アンカーを含む天井アンカーを取り付けるための取付け用ポールを開示している。
【０００３】
【特許文献１】
米国特許第５，１８８，３３２号
【０００４】
【特許文献２】
米国特許第５，０５２，７３３号
【０００５】
【発明が解決しようとする課題】
従来技術の取付け用ポールは、機械的に複雑で解除機構が必要であるか、又は天井構造体に天井アンカーを取り付けるのに梯子が必要である。
【０００６】
したがって、この発明の主な目的は、新規な磁石アンカー、及びその磁石アンカーを磁性天井構造体に容易に取り付けるための取付け用ポール、を提供することである。
【０００７】
この発明の別の目的は、細長の伸長ポールに装着可能な取付け用ヘッドを提供することである。
【０００８】
【課題を解決するための手段】
この発明の広い局面において、磁性構造体に物体を固定し及び磁性構造体から物体を取り外すために、所定の直径のリングがつながれている磁石アンカーを取り付け及び取り外すためのこの発明の取付け用ポールは、上記磁石アンカーを磁性天井構造体まで持ち上げるために、上記リングを受けかつ上記磁石アンカーを上に支持する円筒形ラグを一端に有する細長で円筒形の非磁性取付け用ヘッドと、上記磁石アンカーを磁性天井構造体から取り外すために、上記リングに係合するため上記ラグの近傍で上記取付け用ヘッドから横方向に延びるフックと、上記取付け用ヘッドに着脱自在に装着可能な細長のポールとを備えている。
【０００９】
上記フックは、好ましくは、上記取付け用ヘッドから半径方向に延びるコルク栓抜き状らせんである。上記伸長可能なポールは、ねじ付きの末端接続部を有する細長の棒体で、木材、プラスチック又はアルミニウム合金でできている。
【００１０】
細長のポールとともに使用する取付け用ヘッドは、磁石アンカーを磁性天井構造体まで持ち上げるために、磁石アンカーのリングを受けかつ上記磁石アンカーを上に支持する円筒形ラグを一端に有する好ましくはプラスチック材料で形成された細長で円筒形の非磁性の本体と、上記磁石アンカーを磁性天井構造体から取り外すために、上記リングに係合するため上記ラグの近傍で上記取付け用ヘッドから横方向に延びるコルク栓抜き状らせんフックと、ポール伸長部の嵌合ねじ付き端部を受けるために、他端に設けられたねじ付きソケットとを備えている。
【００１１】
【発明の実施の形態】
この発明の磁石アンカーと取付け用ポールについて、図面を参照しながら以下に説明する。
【００１２】
図１に天井磁性条片１１に取り付けられた作動状態で示されているこの発明の磁石アンカー１０は、好ましくは、長方形の磁石本体１２とこの本体から垂下する細長い輪（ｅｙｅ）、すなわち、つなぎ環１４を備えてできている。つなぎ環１４は、好ましくは、図２及び４に一層明瞭に示されているリベット１６によって磁石の中心にリベット止めされていて、自由に回転できるようになっている。つなぎ環１４に嵌め込まれたリング１５が、標識、垂れ幕、風船又は風船飾付けなど、磁石アンカーによって支持される物体を受けるように構成されている。
【００１３】
磁石アンカー１０と取付け用ポール１８の使用時の組合せを図２及び図３に示す。取付け用ポール１８は、ナイロンプラスチック、木材又はアルミニウム合金などの非磁性材料でできていて細長の中空円筒体２２を有する取付け用ヘッド２０を備えてなり、一方の端部から円筒形ラグ２４が出ており、反対側の端部に雌ねじ付きの空腔２６（図２に破線で示す）が形成されている。好ましくはコルク栓抜き状らせん３０の形をしたフック２８が、図３により明確に示されているように、ラグ２４の近傍で本体２２に取り付けられてそこから半径方向に突き出ており、その理由は、この説明が進むにつれて明らかになるであろう。ねじ付きの空腔２６としっくり螺合して繋がるように構成されたねじ付き端部３４を有する木材、プラスチック又は金属製の細長のポール伸長部３２が、取付け用ヘッド２０の上下を可能にしている。ポール伸長部は、また、当該技術分野で周知のねじ付き接続部を備えた２以上のセクションを有する分割ポール又は１本のテレスコピック式のポールである場合を含む。
【００１４】
使用時には、吊り下げる物体（図示せず）が取り付けられているリング１５が図２に示すようにラグ２４にぴったり嵌まっていて、磁石アンカー１２がラグ２４の平らな外側端の上に載っている。ラグ２４は、好ましくは、図３に番号２５で示すように、一つの弦を切り取って平坦化されており、つなぎ環１４を受け入れるようになっている。物体を取り付けられた磁石アンカー１０は、取付け用ヘッド２０に連結された細長のポール伸長部３２によって、天井スチール条片１１などの磁性表面まで持ち上げられる。磁石アンカー１０が磁性条片１１に接触すると、取付け用ポール１８は後退させる。
【００１５】
磁石アンカー１０を条片１１から取り外すためには、コルク栓抜き状らせんフック２８の付いた取付け用ヘッド２０をポール伸長部３２によって持ち上げ、次いで図４に示すように、リング１５をコルク栓抜き状らせん３０と係合させて、磁石アンカー１０を取り外すことができる。
【００１６】
図５は、一回持ち上げることによって複数の磁石アンカーの多重取付け及び取外しを行うこの発明の別の実施態様を示し、一対の円筒形ラグ５０、５２又は複数の円筒形ラグが、直線状又は弓形状の支持バー５８上に取付けポルト５４，５６によって間隔を置いた状態で回転するように取り付けられている。支持バー５８は、伸長ポール６４に６２の所でネジで連結されている取付け用ヘッド６０の上に取り付けられている。
【００１７】
ラグ５０、５２の各々は、半径方向に延びるコルク栓抜き状らせんのフック６８、７０を備え、各フックは、磁石アンカーを持ち上げるときに、コルク栓抜き状らせん６８で描かれているような不使用位置に枢動することができ、又は磁石アンカーを天井磁性条片から外して降ろすため磁石アンカーリングと係合するときに、コルク栓抜き状らせん７０で描かれているような使用位置に枢動することができる。一回の持ち上げで多数取付けを行うことは、間隔を置いた多数の取付け点を必要とする垂れ幕、垂れ飾り及び標識に有利である。
【００１８】
【付言】
ここに例示して説明したこの発明の実施態様は、添付の特許請求の範囲によって定義されるこの発明の範囲から逸脱することなく改変できることはもちろんであることが、理解されよう。
【図面の簡単な説明】
【図１】天井スチール条片に取り付けられているこの発明の磁石アンカーの部分斜視図である。
【図２】磁石アンカーを持ち上げるために、磁石アンカーに作動的に係合しているこの発明の取付け用ポールの側面図である。
【図３】図２に示す取付け用ヘッドの斜視図である。
【図４】天井条片から磁石アンカーを取り外す準備状態にある前記取付け用ポールの側面図である。
【図５】一対の磁石アンカー吊下げ取外し手段を有する取付け用ポールの実施態様の側面図である。
【符号の説明】１０…磁石アンカー、１１…天井磁性条片、１２…磁石体、１４…つなぎ環、１５…リング、１８…取付け用ポール、２０…取付け用ヘッド、２４…ラグ、３０…らせんフック。
【国際公開パンフレット】
2004506249.tif 000003
2004506249.tif 000004
2004506249.tif 000005
2004506249.tif 000006
2004506249.tif 000007
2004506249.tif 000008
2004506249.tif 000009
2004506249.tif 000010
2004506249.tif 000011
2004506249.tif 000012
【国際公開パンフレット（コレクトバージョン）】
2004506249.tif 000013
【国際調査報告】
2004506249.tif 000014
2004506249.tif 000015